(57)【要約】      （修正有）【課題】照明器具のベース部、支柱部、アーム部等から計画した通りの光を演出できる照明器具を提供する。【解決手段】電球１５を支えるベース部１１、支柱部１３、アーム部１４等を有する、ＬＥＤテープ１６を応用した照明器具１において、ベース部１１、支柱部１３、アーム部１４の少なくともいずれかの一部または全体が透光性材料を用いて中空に形成され、前記中空の内部にＬＥＤテープ１６を設置することで、前記一部または全体から様々な光の演出を実現する。【選択図】図１Ａ
2013235805.tif 000002
【特許請求の範囲】
【請求項１】
電球を支えるベース部、支柱部、アーム部等を有する、ＬＥＤテープを応用した器具照明器具において、前記ベース部、支柱部、アーム部等の少なくともいずれかの一部または全体が透光性材料を用いて中空に形成され、前記中空の内部にＬＥＤテープを設置することで、前記一部または全体から様々な光の演出を実現することを特徴とするＬＥＤテープを応用した器具照明。
【請求項２】
請求項１に記載のＬＥＤテープを応用した器具照明において、前記支柱部または前記アーム部は、断面形状が多角形の外周面と断面形状が円形の内周面を有し、且つ長手方向に所定の角度をねじり曲げて形成されていることを特徴とする。
【請求項３】
請求項１または２に記載のＬＥＤテープを応用した器具照明において、前記ＬＥＤテープは２本あり、前記２本のＬＥＤテープは、ＬＥＤの位置を互いにずらして背面同士を耐熱接着剤または螺子などで一体に固定することで、熱集中によるＬＥＤの高温を防止することを特徴とするＬＥＤテープを応用した器具照明。
【請求項４】
請求項１または２に記載のＬＥＤテープを応用した器具照明において、前記ＬＥＤテープの背面に冷却用空気が流れる空気通路を形成し、前記ＬＥＤテープの背面が前記空気通路の周方向において一部の内壁面を構成し、冷却用空気を前記空気通路に流すことで、ＬＥＤから発生する熱を前記内部から放出してＬＥＤを冷却させることを特徴とする。
【請求項５】
請求項４に記載のＬＥＤテープを応用した器具照明において、前記ＬＥＤテープは少なくとも２本あり、それぞれの前記ＬＥＤテープの背面は前記空気通路の周方向において一部の壁面を構成することを特徴とするＬＥＤテープを応用した器具照明。
【発明の詳細な説明】
【技術分野】
【０００１】  本発明はＬＥＤテープを応用した吊下げタイプの照明器具（シャンデリア含む）やスタンドタイプの照明器具、壁付けタイプの照明器具及びＬＥＤテープを応用した電球やデコレーション照明に関する。
【背景技術】
【０００２】  従来、吊下げタイプ照明器具（シャンデリア含む）やスタンドタイプの照明器具、壁付けタイプの照明器具はベース部、支柱部、アーム部（吊り具含む）、電球（かさ付等も含む）などで構成されている。【０００３】  以下図４により従来の吊下げタイプ照明器具４を説明する。図４において照明器具の構成部品としてベース部４１、吊り具４２、支柱部４３、アーム部４４、電球４５がある。電球４５へはベース部４１から電気を供給する電線４６が支柱部４３、アーム部４４の内部を貫通して設置されている。アーム部４４にソケット４７を付けて電球４５と接続する。この電球４５は白熱灯や蛍光灯で最近ではＬＥＤを応用した商品もある。今まではこの電球４５のみを光らせて照明としていた。【０００４】  一方、最近では帯状の基材に間隔をおいてＬＥＤを配置したＬＥＤテープが開発され、様々な照明や光の演出に利用されている。
【発明の概要】
【発明が解決しようとする課題】
【０００５】  今までの照明器具のベース部、支柱部、アーム部等は電球を支える部材として用いられ、光の演出は電球をもって行われていた。また、例えベース部、支柱部、アーム部等から光を発しようとしても白熱灯や蛍光灯ではただ光るだけであった。ベース部、支柱部、アーム部の内部よりその凹凸や曲面の形状や光を通過させる素材の透過度に合わせた光の出る位置と方向を決めることは細長い支柱部や湾曲したアーム部では難しく、できたとしても大変高価なものであった。また、様々な形状のランプについても内部の光を出す位置と方向をその形状に合うように光源を配置するのが難しく、コストも高かった。【０００６】  本発明はこのような従来の照明器具が有していた問題点を解決するためのものであり、ＬＥＤテープの省スペース性、曲げることができる機能を利用して、ＬＥＤテープをベース部、支柱部、アーム部等の内部に設置することで、従来できなかったベース部、支柱部、アーム部等の内部から光を発することを可能にすることと、ＬＥＤの一方向へ光を出す性質を利用し、予め決められた位置から予め決められた方向に色々な色彩の光を発して省エネで、あらかじめ意図されたとおりにより美しく光を演出できる照明器具を実現することと、を目的とする。【０００７】  また、ＬＥＤは熱に弱く、如何に効率よく放熱できるかが大きな課題であった。本発明はＬＥＤテープをベース部、支柱部、アーム部等の内部に設置しても効率よく放熱できる放熱方法を提案することを目的とする。
【課題を解決するための手段】
【０００８】  上述の目的を達するための本発明の第一の特徴は、電球を支えるベース部、支柱部、アーム部等を有する、ＬＥＤテープを応用した器具照明器具において、前記ベース部、支柱部、アーム部の少なくともいずれかの一部または全体が透光性材料を用いて中空に形成され、前記中空の内部にＬＥＤテープを設置することで、前記一部または全体から様々な光の演出を実現することを特徴とする。【０００９】  本発明の第二の特徴は、第一の特徴に係わる、ＬＥＤテープを応用した器具照明において、前記支柱部または前記アーム部は、断面形状が多角形の外周と円形の内周を有し、且つ長手方向に所定の角度をねじり曲げて形成されていることを特徴とする。【００１０】  本発明の第三の特徴は、第一または第二の特徴に係わる、ＬＥＤテープを応用した器具照明において、前記ＬＥＤテープが２本あり、前記２本のＬＥＤテープは、ＬＥＤの位置を互いにずらして背面同士を耐熱接着剤または螺子などで一体に固定させることで、熱集中によるＬＥＤの高温を防止することを特徴とする。【００１１】  本発明の第四の特徴は、第一または第二の特徴に係わる、ＬＥＤテープを応用した器具照明において、前記ＬＥＤテープの背面に冷却用空気が流れる空気通路を形成し、前記ＬＥＤテープの背面が前記空気通路の周方向において一部の内壁面を構成し、冷却用空気を前記空気通路に流すことで、ＬＥＤから発生する熱を前記内部から放出してＬＥＤを冷却させることを特徴とする。【００１２】  本発明の第五の特徴は、第四の特徴に係わる、ＬＥＤテープを応用した器具照明において、前記ＬＥＤテープは少なくとも２本あり、それぞれの前記ＬＥＤテープの背面は前記空気通路の周方向において一部の壁面を構成することを特徴とするＬＥＤテープを応用した器具照明。
【発明の効果】
【００１３】  従来電球の支えとして使われてきた照明器具のベース部、支柱部、アーム部等から計画した通りの光を演出することで、アーム部や支柱部の造詣の美しさを人の目に表現することができる。【００１４】  また、ベース部、支柱部、アーム部の内部空間に設置されたＬＥＤを高温から守ることができる。
【図面の簡単な説明】
【００１５】
【図１Ａ】本発明の実施例１のＬＥＤテープを応用した吊下げタイプ照明灯具（シャンデリア）を示す。
【図１Ｂ】実施例１のＬＥＤテープの長手方向断面形状を示す。
【図１Ｃ】実施例１のＬＥＤテープの横断面形状を示す。
【図２Ａ】本発明の実施例２のＬＥＤテープを応用したスタンドタイプ照明器具を示す。
【図２Ｂ】実施例２のＬＥＤテープの空気通路の長手方向断面形状を示す。
【図２Ｃ】実施例２のＬＥＤテープの空気通路の横断面形状を示す。
【図３Ａ】本発明の実施例３のＬＥＤテープを応用した照明灯具のアーム部の一部を示す。
【図３Ｂ】実施例３アーム部の断面形状を示す。
【図４】従来の吊下げタイプ照明灯具（シャンデリア）を示す。
【発明を実施するための形態】
【００１６】  以下、本発明の実施形態を実施例の図を参照しながら説明する。
【実施例１】
【００１７】  図１Ａは本発明の実施例１のＬＥＤテープを応用した吊下げタイプ照明灯具１（シャンデリア）を示し、図１Ｂは実施例１のＬＥＤテープの長手方向断面形状を示し、図１Ｃは実施例１のＬＥＤテープの横断面形状を示す。本実施例１の吊下げタイプ照明灯具１は、図１Ａに示すように、ベース部１１、吊り具１２、支柱部１３、アーム部１４および電球１５を有している。支柱部１３とアーム部１４は透光性材料を用いて中空に形成し、その中空の内部には、従来の電線の代わりにＬＥＤテープ１６が貫通して設置されている。ＬＥＤテープ１６は、図１Ｂと図１Ｃに示すように、２本のＬＥＤテープをＬＥＤの位置をお互いにずらしてその背面同士を耐熱接着剤で貼り合わせたものである。電球１５は、従来の白熱灯または蛍光灯の代わりに、透光性材料で形成された電球ケーシング１５１の内部にＬＥＤテープ１６を設置して形成されている。また、電球１５とアーム部１４との繋ぎ部分および支柱部１３とアーム部１４との繋ぎ部分にはコネクター１７を介してＬＥＤテープ１６が着脱可能に接続されている。さらに、ＬＥＤテープ１６のベース部１３側の一端はコネクター（未図示）を介して電源に接続されている。【００１８】  ＬＥＤテープ１６に通電すると、ＬＥＤテープ１６のＬＥＤから光を発射し、電球１５が光ることはもちろんのことで、支柱部１３およびアーム部１４も光輝くようになり、計画した通りの光を演出することで、アーム部や支柱部の造詣の美しさを人の目に表現し、従来の吊下げタイプ照明灯具では得られないあるいは得られにくい光の演出を簡単に実現できる。また、電球１５とアーム部１４との繋ぎ部分にはコネクター１７を介してＬＥＤテープ１６が着脱可能に接続されているので、電球１５を簡単に交換することができる。【００１９】  実施例１においては、支柱部１３とアーム部１４またはそれぞれの全体が透光性材料を用いて中空に形成されているが、いずれか一方またはいずれか一方の一部のみを透光性材料で形成することで、特殊な光の演出効果を実現してもよく、その場合、透光性材料で形成された部分のみにＬＥＤテープ１６を配置し、非透光性材料部分には導線を配置してＬＥＤテープ１６を電気接続する。
また、電球１５は電球ケーシング１５１の内部にＬＥＤテープ１６を設置して形成されているが、市販のＬＥＤ電球で電球１５を代替してもよい。
【実施例２】
【００２０】  図２Ａは本発明の実施例２のＬＥＤテープを応用したスタンドタイプ照明器具２を示し、図２Ｂは実施例２ＬＥＤテープの空気通路の長手方向断面形状を示し、図２Ｃは実施例２ＬＥＤテープの空気通路の横断面形状を示す。本実施例２のスタンドタイプ照明器具２は、図２Ａに示すように、ベース部２１、支柱部２３、アーム部２４および電球２５などから構成されている。ベース部２１、支柱部２３およびアーム部２４は透光性材料を用いて中空に形成し、その中空の内部には、従来の電線の代わりにＬＥＤテープ２６が貫通して設置されている。ＬＥＤテープ２６は、図２Ｂと図２Ｃに示すように、４本のＬＥＤテープの幅方向の両端辺を、ＬＥＤが外側に位置するように、耐熱接着剤で貼り合わせて空気通路２６１を形成したものである。電球２５は、従来の白熱灯または蛍光灯の代わりに、透光性材料で形成された電球ケーシング２５１の内部にＬＥＤテープ２６を設置して形成されている。また、電球２５とアーム部２４との繋ぎ部分および支柱部２３とアーム部２４との繋ぎ部分にはコネクター２７を介してＬＥＤテープ２６が着脱可能に接続されている。さらに、ＬＥＤテープ２６のベース部２３側の一端はコネクター（未図示）を介して電源に接続されている。【００２１】  一方、ＬＥＤテープ２６の空気通路２６１の一端（ベース部２３側の一端部）は空気入口２６１１が形成されて小型空気ポンプ２８に接続されており、他端（電球２５側の端部）は空気出口２６１２として開口のままになっている。また、電球ケーシング２５１にはいくつかの開口２５２が形成されている。小型空気ポンプ２８の電源のＯＮ／ＯＦＦはＬＥＤテープ２６の電源と連動し、電源がＯＮになると、小型空気ポンプ２８から空気を吐出し、吐出された空気は空気通路２６１の空気入口２６１１から流入し、空気出口２６１２から排出されたあと、開口２５２から排出される。【００２２】  ＬＥＤテープ２６に通電すると、ＬＥＤテープ２６のＬＥＤから光を発射し、電球２５が光ることはもちろんのことで、ベース部２１、支柱部２３およびアーム部２４も光輝くようになり、計画した通りの光を演出することで、ベース部２１、支柱部２３およびアーム部２４の造詣の美しさを人の目に表現し、従来のスタンドタイプ照明灯具では得られないあるいは得られにくい光の演出を簡単に実現できる。【００２３】  また、ＬＥＤテープ２６の電源がＯＮになると、それと連動する小型空気ポンプ２８の電源もＯＮになり、空気通路２６１内には空気が流れて、ＬＥＤから発生する熱を開口２５２から外部に排出してＬＥＤを冷却し、高温にさらされることを防止する。【００２４】  実施例２においては、４本のＬＥＤテープを貼り合わせて四角形の空気通路２６１を形成しているが、空気通路２６１の断面形状は四角以外の多角形でもよく、ＬＥＤテープは何本でもよい。ＬＥＤテープだけでは空気通路を形成できない場合は、例えば、ＬＥＤテープを２本用いて三角形の空気通路を形成する場合、他の曲がりやすい帯状板を用いて残りの１面の通路壁面を構成してもよい。また、小型空気ポンプ２８はＬＥＤテープ２６の電源のＯＮ／ＯＦＦと連動しているが、連動せず、小型空気ポンプ２８を手動で作動させ��もよく、あるいは支柱部２３、アーム部２４または電球２５の内部に温度センサを設けて、所定の温度に達した場合に小型空気ポンプ２８作動させてもよい。さらに、電球２５は電球ケーシング２５１の内部にＬＥＤテープ２６を設置して形成されているが、市販のＬＥＤ電球で電球２５を代替してもよい。
【実施例３】
【００２５】  図３Ａは本発明の実施例３のＬＥＤテープを応用した照明灯具のアーム部３４の一部を示し、図３Ｂは実施例３アーム部３４の断面図を示す。実施例３において、アーム部３４以外の部分は実施例１または実施例２と同じであり、ここでは図示と説明を省略する。本実施例３のアーム部３４は、図３Ａおよび図３Ｂに示すように、断面形状が多角形（本実施例３では６角形）の外周面３４１と断面形状が円形の内周面３４２を有し、且つ長手方向に所定の角度をねじり曲げて形成されている。また、アーム部３４の内部にはＬＥＤテープ３６が貫通して設置されている。ＬＥＤテープ３６は実施例１で使用された２本のＬＥＤテープの背面同士を貼り合わせたＬＥＤテープ１６と同様なものを使用する。【００２６】  ＬＥＤテープ３６に通電すると、ＬＥＤテープ３６のＬＥＤから光を発射し、アーム部３４も光輝くようになる。この場合、互いに逆方向に出る二つのＬＥＤの光がアーム部３４の断面形状が多角形の外周面３４１において光の反射や屈折を行ない、計画された光の演出が実現される。【００２７】  実施例３においては、アーム部３４の外周面３４１の断面形状を多角形にしたが、内周面３４２の断面形状を多角形にしたり、または外周面３４１と内周面３４２の断面形状を同時に多角形にしたりしてもよい。また、本実施例３では長手方向において断面形状が一様であるが、長手方向において断面形状を変えて、それぞれの部分でそれぞれ異なる光の演出効果を出してもよい。もちろん、このような断面形状の設計は支柱部に対して実施してもよい。【００２８】  以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００２９】  １  実施例１の照明器具
２  実施例２の照明器具
４  従来の照明器具
１１、２１、４１  ベース部
１２、４２  吊り具
１３、２３、４３  支柱部
１４、２４、３４、４４  アーム部
３４１  外周面
３４２  内周面
１５、２５、４５  電球
１５１、２５１  電球ケーシング
２５２  開口
１６、２６、３６、  ＬＥＤテープ
２６１  空気通路
２６１１  空気入口
２６１２  空気出口
１７、２７  コネクター
２８  小型空気ポンプ
４７  ソケット
４６  電線
【図１Ａ】
2013235805.tif 000003
【図１Ｂ】
2013235805.tif 000004
【図１Ｃ】
2013235805.tif 000005
【図２Ａ】
2013235805.tif 000006
【図２Ｂ】
2013235805.tif 000007
【図２Ｃ】
2013235805.tif 000008
【図３Ａ】
2013235805.tif 000009
【図３Ｂ】
2013235805.tif 000010
【図４】
2013235805.tif 000011